(57)【要約】【課題】  屋根下地材を設けることなく垂木上に断熱パネルを直接施工して所定の強度を発揮し且つ防湿層などを設けることなく結露の発生を防止することができ、その上、正確且つ能率施工し得る断熱屋根の施工構造を提供する。【解決手段】  吸放湿性に優れた木質繊維板からなる断熱パネル主体1Aの表面に該断熱パネル主体1Aよりも密度が大きい木質板からなる補強板1Bを貼着した断熱パネル１を使用し、この断熱パネル１の両端面に相じゃくり実部5a、5bを設けると共にその下端部に嵌合用切欠段部５を設けて、垂木２に直交して配設した雇い実３に隣接する断熱パネル１、１の嵌合用切欠段部５、５を嵌合させると共に相じゃくり実部5a、5b同士を係合させた状態で接合し、この断熱パネル１上に防水シート６を介して屋根材８を施工している。【選択図】    図１
2008231865.tif 000002
【特許請求の範囲】
【請求項１】
垂木と、この垂木上に施工された断熱パネルと、この断熱パネル上に張設された防水シートと、防水シート上に葺かれた屋根材とからなる断熱屋根の施工構造において、上記断熱パネルは、密度が0.27ｇ／cm3 未満の平面横長長方形状の木質繊維板からなる断熱パネル主体の表面に密度が0.35ｇ／cm3 以上の木質板からなる補強板を貼着してなる一方、上記垂木上にこの断熱パネルの幅に等しい間隔毎に該垂木と直交する方向に雇い実を配列し、対向端面を突き合わせ状に配設してなる上記断熱パネルの対向端部をこの雇い実を介して接合させていることを特徴とする断熱屋根の施工構造。
【請求項２】
断熱パネルにおける断熱パネル主体の長辺側の両端面下部に雇い実に係合する断面逆Ｌ字状の嵌合用切欠段部を設けていることを特徴とする請求項１に記載の断熱屋根の施工構造。
【請求項３】
断熱パネル主体の表面に貼着した補強板における長辺側の両端面から雇い実の嵌合用切欠段部に至る断熱パネル主体の両端面にかけて相じゃくり実を形成していることを特徴とする請求項１又は請求項２に記載の断熱屋根の施工構造。
【発明の詳細な説明】
【技術分野】
【０００１】
本発明は外張り屋根断熱工法において、木質系の屋根断熱パネルを用いた断熱屋根の施工構造に関するものである。
【背景技術】
【０００２】
従来から、住宅の外張り断熱工法と呼ばれている屋根断熱構造においては、この屋根断熱構造を構成する断熱パネルとして、例えば、特許文献１に記載されているように発泡ポリスチレン板や硬質ウレタンフォームなどの発泡プラスチック系断熱材などからなる板状断熱材が使用され、この板状断熱材を、垂木の上に合板等の屋根下地材を施工したのち、この下地材上に防湿層を介して敷設、固定し、さらに、この板状断熱材上に胴縁を左右方向に一定間隔毎に固着して隣接する胴縁間で通気層を形成し、該通気層を構造用合板（野地板）によって被覆すると共に、構造用合板上に防水層を介して屋根材を葺いてなる屋根断熱構造を構成している。
【特許文献１】特開平７−２０７８５２号公報
【発明の開示】
【発明が解決しようとする課題】
【０００３】
しかしながら、上記発泡プラスチック系断熱材などからなる板状断熱材は曲げ強度等の強度に劣るために、垂木間に直接、架設状態に施工すると施工時に足場として利用する場合等において折損する虞れがあり、そのため、垂木の上に構造用合板からなる屋根下地材を施工したのち、この下地材に該板状断熱材を施工する必要が生じて著しい手間と労力を要すると共にコスト高になるといった問題点がある。さらに、板状断熱材として木質繊維板のような透湿性を有する板材を使用しても、上記のように垂木の上に下地材として構造用合板を施工すると、合板自体は透湿性が十分でないために、木質繊維板の透湿性を効果的に発揮させることができなくなると共に合板の表面等に結露が発生する等の問題点がある。
【０００４】
本発明はこのような問題点に鑑みてなされたもので、その目的とするところは、優れた強度を有すると共に良好な調湿機能を発揮する木質繊維板からなる断熱パネルを使用して屋根下地材を設けることなく垂木上に直接、施工を可能にし、さらに防湿層などを設けなくても表面に結露が発生し難く且つ施工性が良好で精度よく施工することができる断熱屋根の施工構造を提供するにある。
【課題を解決するための手段】
【０００５】
上記目的を達成するために、本発明の断熱屋根の施工構造は、請求項１に記載したように、垂木と、この垂木上に施工された断熱パネルと、この断熱パネル上に張設された防水シートと、防水シート上に葺かれた屋根材とからなる断熱屋根の施工構造において、上記断熱パネルは、密度が0.27ｇ／cm3 未満の平面横長長方形状の木質繊維板からなる断熱パネル主体の表面に密度が0.35ｇ／cm3 以上の木質板からなる補強板を貼着してなる一方、上記垂木上にこの断熱パネルの幅に等しい間隔毎に該垂木と直交する方向に雇い実を配列し、対向端面を突き合わせ状に配設してなる上記断熱パネルの対向端部をこの雇い実を介して接合させた構造を有している。
【０００６】
このように構成した断熱屋根の施工構造において、請求項２に係る発明は、上記断熱パネル主体の長辺側の両端面下部に雇い実に係合する断面逆Ｌ字状の嵌合用切欠段部を設けていることを特徴とし、請求項３に係る発明は、断熱パネル主体の表面に貼着した補強板における長辺側の両端面から上記雇い実の嵌合用切欠段部に至る断熱パネル主体の両端面にかけて相じゃくり実を形成していることを特徴とする。
【発明の効果】
【０００７】
請求項１に係る発明によれば、垂木上に施工した断熱パネルは、密度が0.27ｇ／cm3 未満の木質繊維板からなる断熱パネル主体の表面に密度が0.35ｇ／cm3 以上の木質板からなる補強板を貼着してなるものであるから、良好な断熱性を備えていると共に補強板によって全体が高い強度を有しており、この断熱パネル上に作業員等が乗っても踏み抜ける虞れがなくて施工時における安全性が高めることができ、従って、断熱材等を支える合板等の屋根下地材が不要で垂木上に直接断熱パネルを施工してなる外張り断熱屋根構造を提供することができ、能率の良い施工を可能にすると共に材料コストの削減を図ることができる。
【０００８】
さらに、上記断熱パネルを構成している密度が0.27ｇ／cm3 未満の木質繊維板からなる断熱パネル主体は、その下面を垂木間から下方に露出させた状態で施工されているので、この断熱パネル主体の有する優れた調湿機能を効果的に発揮させて表面に結露が発生し難い断熱屋根構造を構成することができる。また、断熱パネルの両端部を雇い実を介して垂木に直接、支持させているので、構造が簡単にして施工が容易な断熱屋根の施工構造を提供することができる。
【０００９】
請求項２に係る発明によれば、断熱パネルにおける断熱パネル主体の長辺側の両端面下部に雇い実に係合する断面逆Ｌ字状の嵌合用切欠段部を設けているので、この両嵌合用切欠段部を隣接する雇い実に嵌め込むだけで断熱パネル同士の接合作業が極めて簡単且つ正確に行うことができ、従って、断熱屋根の施工が能率よく行う行えると共に、雇い実に嵌合用切欠段部を係合させることによって隣接する断熱パネルの長辺側の対向端面を突き合わせ状態に容易に且つ精度よく接合させることができ、その上、雇い実によって断熱パネルの端部が補強されて強度の大きい接合構造を得ることができる。
【００１０】
また、請求項３に係る発明によれば、断熱パネル主体の表面に貼着した補強板における長辺側の両端面から雇い実の嵌合用切欠段部に至る断熱パネル主体の両端面にかけて相じゃくり実を形成しているので、隣接する断熱パネル同士が上述した雇い実による接続と共に相じゃくり実の雌雄実部の係合により一層確実にして精度のよい施工が可能となると共に、雇い実を介して接合した断熱パネルの対向端面間に隙間が生じても、互いに係合した相じゃくり実の雌雄実部によってその隙間を被覆した状態にすることができ、隙間が断熱パネルの表裏面間に連通するのを遮断して断熱欠損が生じ難い断熱屋根構造を提供することができる。
【発明を実施するための最良の形態】
【００１１】
本発明の実施の形態を図面について説明すると、図１は断熱屋根の施工構造を示す一部切欠簡略斜視図、図２はその縦断側面図、図３は施工された断熱パネル１の斜視図、図４はその縦断側面図であって、この断熱屋根の施工構造は、一定間隔毎に設けている垂木２と、この垂木２上に該垂木２に対して直交し且つ断熱パネル１の幅間隔毎に棟から軒先に向かって並列してなる雇い実３と、隣接する雇い実３、３の上面間に架設状態で配設されてその両端部下面に設けている嵌合用切欠段部４、４を上記隣接する雇い実３、３の対向する半部分にそれぞれ嵌め込むように係合させた状態で上記垂木２上に並列して施工されている上記断熱パネル１と、この並列断熱パネル１上に張設されている防水シート６と、該防水シート６上に桟木７を介して葺かれた屋根材８とから構成されている。
【００１２】
垂木２上に並列状態で敷設される上記断熱パネル１は、密度が0.27ｇ／cm3 未満の木質繊維板からなる断熱パネル主体1Aの表面に密度が0.35ｇ／cm3 以上の木質板からなる補強板1Bを貼着してなるものであり、上記密度が0.27ｇ／cm3 未満の木質繊維板は木質繊維と結合剤を主成分とした軟質繊維板であって、例えば、JIS A 5905で規定されているタタミボードがある。
【００１３】
この木質繊維板からなる上記断熱パネル主体1Aの厚さは、必要とする断熱性能に応じて適宜に設定することができるものであり、例えば、断熱パネル１として必要とする熱抵抗値が0.8 m2・Ｋ／Ｗの場合であれば40mm厚程度となり、必要とする熱抵抗値が1.2 m2・Ｋ／Ｗの場合であれば55mm厚程度となる。また、一枚の木質繊維板によって断熱パネル主体1Aを構成しておいてもよいが、製造可能な木質繊維板の厚みは制限されるので、一定厚みを有する木質繊維板を２枚、或いはそれ以上の数枚を重ね合わせて互いに貼着することにより断熱パネル主体1Aに必要な厚みに形成している。
【００１４】
この断熱パネル主体1Aの表面に貼着している補強板1Bとしての密度が0.35ｇ／cm3 以上の上記木質板は、木質繊維と結合剤を主成分とした木質繊維板や合板、パーティクルボードからなり、その厚みは断熱パネル１に必要な強度に応じて設定することができるが、その厚みが５mm未満であると必要な強度が確保し難くなり、20mm厚を超えると釘が打ち難くなったり取り回しがし難い等の施工上の問題点が生じるので、５〜20mm厚の木質繊維板を使用することが好ましい。また、このように断熱パネル主体1Aの表面に補強板1Bを一体に積層してなる断熱パネル１は、例えば、幅が455mm で長さが1820mmの図５に示すような横長長方形状に形成されている。
【００１５】
断熱パネル主体1Aを構成する数枚の木質繊維板同士の貼着や、断熱パネル主体1Aと補強板1Bとを貼着する接着剤としては、特に限定することなく適宜の接着剤を使用することができ、例えば、酢酸ビニル系やＥＶＡ系、アクリル系、ゴム系の接着剤等を挙げることができる。また、接着剤を断熱パネル主体1Aを形成する木質繊維板の接着すべき面や補強板1Bを形成する木質繊維板の接着すべき面に全面に亘って塗布してもよいが、これらの面にビード状、或いは点状に塗布して、この部分的な塗布によって木質繊維板と木質板を接着しておくことが好ましく、このように部分接着を施すことによって、接着剤層による木質繊維板間や木質繊維板と木質板間の透湿の阻害を低減して結露防止効果を向上させることができる。なお、断熱パネル１の表裏面、即ち、外部に露出している補強板1Bの表面と断熱パネル主体1Aの裏面とに防水剤や撥水剤を塗布しておいてもよい。
【００１６】
さらに、断熱パネル主体1Aの長辺側の両端面における下部を断面逆Ｌ字状に切り欠くことによって角棒形状の上記雇い実３の嵌合用切欠段部４、４に形成している。この嵌合用切欠段部４は断熱パネル主体1Aの長辺側の両端面下部を一定幅でもって全長に亘り、断面逆Ｌ字状に切り欠くことによって一定幅を有する下向き係止面4aとこの係止面4aの内端から断熱パネル主体1Aの裏面に達した垂直面4bとからなる係合段部に形成されてあり、その幅（係止面4aの幅）は雇い実３の略１／２の幅に形成されていて、隣接する断熱パネル１、１の対向する嵌合用切欠段部４、４に雇い実３を嵌合させることにより、この雇い実３を介して断熱パネル１、１が互いに接合し、且つ、その対向端部が雇い実３を介して垂木２上に支持された状態で施工されている。
【００１７】
なお、隣接する断熱パネル１、１の対向端部を雇い実３により接続する構造として、上記嵌合用切欠段部４以外に、例えば、断熱パネル主体1Aの長辺側の両端面中央部を断面コ字状に切除することによって水平方向に開口した嵌合溝部に形成し、対向する断熱パネル１、１の嵌合用溝部に板状の雇い実３の一半部と他半部とをそれぞれ嵌め込むことによって接続するように構成してもよいが、上記のように断熱パネル主体1Aの両端面下部を断面逆Ｌ字状に切り欠くことによって下向きに開口した係合段部に形成しておくことが好ましく、このように形成しておくことによって、雇い実３を介しての断熱パネル１、１同士の接合作業が雇い実３に嵌合用切欠段部４を上方から嵌め込むようにして容易に行え、垂木２上への断熱パネル１の施工が能率よく行えるばかりでなく、雇い実３を垂木２、２上に交差状に支持させて断熱パネル１、１の接合端部をこの雇い実３を介して垂木２に支持させることができ、その接合端部の曲げ強度が補強されて断熱パネル１に荷重がかかった時における端部の折損等の発生を防止することができる。
【００１８】
また、断熱パネル１における長辺側の両端面にはさらに施工性を向上させるために、上記図１、図３〜図５に示すように、上記嵌合用切欠段部４と共に相じゃくり実を設けている。即ち、断熱パネル１の補強板1Bの長辺側における一端部を全長に亘って一定幅だけ切除して、該補強板1Bの一端面1b1 の下端から断熱パネル主体1Aの一端部における上半部をこの補強板1Bの切除幅に相当する幅だけ外方に突出させることにより相じゃくり実の雄実部5aに形成していると共に、断熱パネル主体1Aの他端部における上半部を上記補強板1Bの切除幅に相当する幅だけ補強板1Bの他端部下面に沿って切除することにより、補強板1Bの他端面1b2 から該断熱パネル主体1Aの他端面1a2 が内方に凹んでなる相じゃくり実の雌実部5bに形成している。さらに、断熱パネル主体1Aの長辺側の両端面における下部を断面逆Ｌ字状に切り欠くことによって上記雇い実３の嵌合用切欠段部４、４に形成している。
【００１９】
このように構成した断熱パネル１を上記垂木２上に施工するには、断熱パネル１の長さ方向を屋根の傾斜方向に直交する方向に向けて垂木２上に架設させながら屋根の傾斜方向に順次並列状態となるように敷設する際に、隣接する断熱パネル１、１の対向する嵌合用切欠段部４、４によって形成された矩形状の空間部に雇い実３を嵌め込み、且つ、対向する相じゃくり実の雌雄実部5a、5bを互いに嵌合させることにより、雇い実３を介して断熱パネル１、１をその対向端面を接合させた状態にして順次施工し、垂木２上に載っている断熱パネル１部分を垂木２に釘着する。しかるのち、この断熱パネル１を足場としてこれらの並列断熱パネル１上に防水シート６を張設し、該防水シート６上に桟木７を介して屋根材８を葺くことによって断熱屋根構造を構成する。
【００２０】
このように構成した断熱屋根構造を上述したように施工する際に、上記断熱パネル１にはその両端面下部に断面逆Ｌ字状に切り欠くことによって雇い実３に係合させる下向きに開口した矩形状の嵌合用切欠段部４、４を形成しているので、雇い実３を垂木２上に交差させながら施工してこの雇い実３上に断熱パネル１の端部を落とし込むようにしてその嵌合用切欠段部４を該雇い実３に嵌め込むことにより容易に且つ正確に架設状態に施工することができると共に、断熱パネル１の両端部の強度が雇い実３によって補強されて端部の折損等が生じ難い施工が可能となる。
【００２１】
さらに、隣接する断熱パネル１、１が相じゃくり実の対向する雌雄実部5a、5b同士の嵌合によって接合しているので、これらの断熱パネル１、１における補強板1B、1Bの対向端面1b1 、1b2 間に隙間が生じても相じゃくり実の雄実部5aの上面に雌実部5bの下面が密接した状態で重なり合っているので、断熱パネル１、１の接合部における表裏面間の通気が完全に遮断され、断熱欠損をなくして優れた断熱機能を発揮する。従って、例えば、断熱パネル１、１の接合部をテープ等による隙間防止等の作業を行う必要はなく、施工コストを削減することができる。
【００２２】
また、図６に示すように、雇い実３の長辺側上端における両端稜角部に突条部3a、3aを突設しておく一方、断熱パネル１の両端面下部に設けている上記嵌合用切欠段部４、４の隅角部に上記突条部3a、3aを係止させる係止溝部4c、4cを設けておけば、雇い実３と嵌合用切欠段部４、４との係合が一層確実に行われるばかりでなく、突条部3aが係止溝部4cに引っかかって、屋根の傾斜方向に断熱パネル１がズレようとするのを確実に防止することができると共に、対向端面を隙間なく接合させてさらに精度よく施工することができる。なお、雇い実３の材質は特に限定されることなく、木材や木質材料以外に、硬質合成樹脂や金属板からなるものであってもよい。
【００２３】
さらに、上記断熱パネル１の短辺側の端面にも相じゃくり実を設けておいてもよく、このように形成することによって、さらに施工が容易で正確に行えると共に長さ方向に隣接する断熱パネル１、１の対向する短辺側の端面同士も目隙を生じさせることなく接合させることができ、また、断熱パネル１の短辺側の端部を垂木２上に載るように設計しておいた場合にはこの垂木２上に相じゃくり実が位置して十分な接合強度を確保することができる。なお、断熱パネル１の端面に上記相じゃくり実に代えて本実を設けておいてもよい。  
【００２４】
また、以上の実施の形態においては、雇い実３の嵌合用切欠段部４と共に相じゃくり実を設けた断熱パネル１を示しているが、図７〜図９に示すように、相じゃくり実を設けることなく雇い実３の嵌合用切欠段部４を設けた断熱パネル1'であっても、本発明を満足させることができる。
【００２５】
即ち、この断熱パネル1'は、上記断熱パネル１と同じく、密度が0.27ｇ／cm3 未満の一定厚みを有する平面横長長方形状の木質繊維板からなる断熱パネル主体1A' の表面に、密度が0.35ｇ／cm3 以上の一定厚みを有する木質板からなる補強板1B' を貼着してなり、この断熱パネル主体1A' の長辺側の両端面における下部を断面逆Ｌ字状に切り欠くことによって雇い実３の嵌合用切欠段部4'、4'に形成している。詳しくは、この嵌合用切欠段部4'は上記断熱パネル１と同様に、該断熱パネル主体1A' の長辺側の両端面下部を一定幅でもって全長に亘り、断面逆Ｌ字状に切り欠くことによって一定幅を有する下向き係止面4aとこの係止面4aの内端から断熱パネル主体1A' の裏面に達した垂直面4bとからなる係合段部に形成されてあり、その幅（係止面4aの幅）は雇い実３の１／２の幅に形成されている。  
【００２６】
なお、このように形成している断熱パネル1'を使用した断熱屋根構造としては、相じゃくり実による接続構造以外は上記実施の形態と同じであるので、その詳細な説明を省略する。また、相じゃくり実や雇い実３の嵌合用切欠段部4'を設けることなく長辺側の両端部下面を雇い実３上に直接、支持させた断熱パネルであっても本発明を満足させることができる。次に、本発明の断熱屋根構造に用いている断熱パネルの実施例と比較例とを示す。  
【００２７】
〔実施例１〕
密度が0.23ｇ／cm3 、厚さ20mm×幅455mm ×長さ1820mmの木質繊維板（タタミボード）を２枚と、密度が0.33ｇ／cm3 、厚さ８mm×幅455mm ×長さ1820mmの木質繊維板（シージングボード）を１枚、使用し、これらの木質繊維板の重ね合わせ面に酢酸ビニル接着剤をビード状に30ｇ／ｍ2 塗布したのち、貼り合わせて厚さ48mm×幅455mm ×長さ1820mmの断熱パネルを得た。この断熱パネルを荷重面積80mmφ、スパン455mm でもって荷重試験を行ったところ、載荷重が180kgfまで破壊しないことが確認できた。また、この断熱パネルの透湿度を測定したところ、15.4ｇ／ｍ・ｈ・mmHgであった。また、熱抵抗値を測定したところ、0.913 ｍ2k／Ｗであった。
【００２８】
〔実施例２〕
密度が0.23ｇ／cm3 、厚さ20mm×幅455mm ×長さ1820mmの木質繊維板（タタミボード）を２枚と、密度が0.33ｇ／cm3 、厚さ８mm×幅455mm ×長さ1820mmの木質繊維板（シージングボード）を１枚、使用し、これらの木質繊維板の重ね合わせ面に酢酸ビニル接着剤をビード状に30ｇ／ｍ2 塗布したのち、貼り合わせて厚さ48mm×幅455mm ×長さ1820mmの断熱パネルを得た。さらに、この断熱パネルにおける上記タタミボードからなる木質繊維板の四方端面における下部に雇い実の嵌合用切欠段部を形成した。この断熱パネルの嵌合用切欠段部を屋根の垂木上に直交して並列、固定している隣接する雇い実（ベイツガ材製）に係合させることによって良好に施工することができた。また、上記のように雇い実間上に架設状態で施工した断熱パネルの中央部及び雇い実上に支持されている両端部のそれぞれに、荷重面積80mmφ、スパン455mm でもって荷重試験を行ったところ、載荷重が180kgfまで破壊しないことが確認できた。また、この断熱パネルの透湿度を測定したところ、15.4ｇ／ｍ・ｈ・mmHgであり、熱抵抗値を測定したところ0.913 ｍ2k／Ｗであった。
【００２９】
〔実施例３〕
密度が0.23ｇ／cm3 、厚さ20mm×幅455mm ×長さ1820mmの木質繊維板（タタミボード）を２枚と、密度が0.33ｇ／cm3 、厚さ12mm×幅455mm ×長さ1820mmの木質繊維板（シージングボード）を１枚、使用し、これらの木質繊維板の重ね合わせ面に酢酸ビニル接着剤をビード状に30ｇ／ｍ2 塗布したのち、貼り合わせて厚さ52mm×幅455mm ×長さ1820mmの断熱パネルを得た。さらに、密度が0.23ｇ／cm3 の上記木質繊維板（タタミボード）の四方端面における下部に雇い実の嵌合用切欠段部を形成すると共にこの嵌合用切欠段部の上部側における上記タタミボードからなる木質繊維板の上部に相じゃくり実を設けた。この断熱パネルの嵌合用切欠段部を屋根の垂木上に直交して並列、固定している隣接する雇い実（ベイツガ材製）に係合させることによってズレや隙間を生じさせることなく良好に施工することができた。また、上記実施例と同様に、同一条件で荷重試験を行ったところ、載荷重が180kgfまで破壊しないことが確認できた。また、この断熱パネルの透湿度や熱抵抗値も上記実施例と同じ値を示した。
【００３０】
〔比較例１〕
密度が0.23ｇ／cm3 、厚さ20mm×幅455mm ×長さ1820mmの木質繊維板（タタミボード）を２枚と、密度が0.45ｇ／cm3 、厚さ7.5mm ×幅455mm ×長さ1820mmの合板を１枚、使用して屋根用のパネルを得る際に、上記合板について実施例１と同じ荷重試験を行ったところ、破壊荷重が180kgfであった。同様に、透湿率の測定を行ったところ、0.87ｇ／ｍ・ｈ・mmHgであり、熱抵抗測定では0.11ｍ2k／Ｗであった。
【００３１】
上記実施例と比較例とから明らかなように、実施例１の断熱パネルは、合板と同等の強度を有し、さらに、合板よりも透湿率が大きく熱抵抗も大きいことが確認できた。さらに実施例２及び実施例３の断熱パネルは、その幅方向の中央部においても実部においても合板と同等以上の強度を有し、合板よりも透湿率が大きく、熱抵抗も大きいことが確認できた。
【図面の簡単な説明】
【００３２】
【図１】断熱パネルを施工した断熱屋根構造の一部切欠簡略斜視図。
【図２】その縦断側面図。
【図３】施工された断熱パネルの斜視図。
【図４】その縦断側面図。
【図５】断熱パネルの簡略斜視図。
【図６】嵌合用切欠段部と雇い実との係合状態の変形例を示す縦側側面図。
【図７】断熱パネルの別な形状を示す簡略斜視図。
【図８】その施工状態を示す縦断側面図。
【図９】その縦断側面図。
【符号の説明】
【００３３】
１  断熱パネル
1A  断熱パネル主体
1B  補強板
３  雇い実
４  嵌合用切欠段部
5a、5b  相じゃくり実部
６  防水シート
８  屋根材
【図１】
2008231865.tif 000003
【図２】
2008231865.tif 000004
【図３】
2008231865.tif 000005
【図４】
2008231865.tif 000006
【図５】
2008231865.tif 000007
【図６】
2008231865.tif 000008
【図７】
2008231865.tif 000009
【図８】
2008231865.tif 000010
【図９】
2008231865.tif 000011